(57)【要約】      （修正有）【課題】インナーレールのガイド溝から抜止め突起を摺動案内状態に簡単に戻すことができるようにしたロールスクリーン装置を提供する。【解決手段】中間インナーレール２０ｂの一対の内向きフランジ２２の下端部に、斜め下方に延びて下部インナーレール２０ｃの内向きフランジ２２の上端部に重なり合う傾斜状のガイド片部２８を設け、抜止め突起７がガイド溝２１から抜け出した際に、巻取り軸でスクリーン５を巻取り、抜止め突起７がガイド片部２８の下端に当接して押圧する作用により中間インナーレール２０ｂを押し上げて下部インナーレール２０ｃの上端間に隙間を形成し、その隙間から抜止め突起７をガイド溝２１内に進入させるようにする。【選択図】図５
2010077796.tif 000002
【特許請求の範囲】
【請求項１】
巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、
前記インナーレールを、上部インナーレール、中間インナーレールおよび下部インナーレールとに３分割し、その中間インナーレールを上部インナーレールと下部インナーレールの対向部間において長さ方向に移動自在に支持し、かつ、弾性部材により下部インナーレールに向けて付勢し、その中間インナーレールの一対の内向きフランジの下端部に、斜め下方に延びて下部インナーレールの内向きフランジの上端部に重なり合う傾斜状のガイド片部を設けたことを特徴とするロールスクリーン装置。
【請求項２】
巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、
前記インナーレールの上部に一対の内向きフランジおよび前記ガイド溝の両側壁の一部を上下に分断する窓を形成し、その窓を前記抜止め突起が進入可能な大きさとしたことを特徴とするロールスクリーン装置。
【請求項３】
前記窓の上部に位置する内向きフランジの下端部に斜め下方に向く傾斜状のガイド片部を設けた請求項２に記載のロールスクリーン装置。
【請求項４】
巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、
前記インナーレールを上部インナーレールと下部インナーレールとに２分割し、その上部インナーレールの下端と下部インナーレールの上端間に前記抜止め突起が進入可能な大きさの開口部を設けたことを特徴とするロールスクリーン装置。
【発明の詳細な説明】
【技術分野】
【０００１】
この発明は、巻取り軸に巻き取られるスクリーンによって建屋の出入口や窓等の開口部を開閉するロールスクリーン装置に関する。
【背景技術】
【０００２】
この種のロールスクリーン装置として特許文献１に記載されたものが従来から知られている。このロールスクリーン装置においては、巻取り軸によって開口部開閉用のスクリーンを巻き取り可能とし、その巻取り軸から引き出されたスクリーンの両側縁部の移動を案内する対向一対のレール部材のそれぞれ内部にインナーレールを組込み、各インナーレールに上記スクリーンの両側縁部に沿って設けられた抜止め突起が移動自在に挿入されるガイド溝を設け、そのガイド溝の開口端部に一対の内向きフランジを形成し、その一対の内向きフランジにより抜止め突起を抜止め状態において摺動案内するようにしている。
【０００３】
上記のようなロールスクリーン装置においては、スクリーンの両側縁部がインナーレールによって抜止め状態で摺動案内されるため、開口部を閉じるスクリーンの閉鎖状態で上記開口部を密閉状態に閉鎖することができ、工場等の建屋の出入口の開閉用に極めて好適である。
【先行技術文献】
【特許文献】
【０００４】
【特許文献１】特開平８−２２６２９２号公報
【発明の概要】
【発明が解決しようとする課題】
【０００５】
ところで、上記のように、スクリーンの両側縁部をインナーレールによって抜止め状態で摺動案内するロールスクリーン装置においては、スクリーンの閉鎖状態で、そのスクリーンに外力が負荷される可能性がある。
【０００６】
特に、建屋の出入口をスクリーンによって開閉するロールスクリーン装置においては、フォークリフト等の運搬車の出入りの際に、運搬車の一部がスクリーンに衝突することが多くあり、そのスクリーンに外力が負荷されて撓み、両側縁部に沿って設けられた多数の抜止め突起の一部がインナーレールのガイド溝から抜け出すと、ロールスクリーン装置の全体を分解して、抜け出した抜止め突起を摺動案内状態に戻す必要が生じ、非常に手間がかかっていた。
【０００７】
この発明の課題は、インナーレールのガイド溝から抜け出た抜止め突起を摺動案内状態に簡単に戻すことができるようにしたロールスクリーン装置を提供することである。
【課題を解決するための手段】
【０００８】
上記の課題を解決するため、第１の発明においては、巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、前記インナーレールを、レール部材内の上端部に配置される上部インナーレールおよび中間インナーレールと、下部インナーレールとに３分割し、その中間インナーレールを上部インナーレールと下部インナーレールの対向部間において長さ方向に移動自在に支持し、かつ、弾性部材により下部インナーレールに向けて付勢し、その中間インナーレールの一対の内向きフランジの下端部に、斜め下方に延びて下部インナーレールの内向きフランジの上端部に重なり合う傾斜状のガイド片部を設けた構成を採用したのである。
【０００９】
上記の構成からなるロールスクリーン装置において、スクリーンの閉鎖状態において、そのスクリーンへの外力の負荷によって一部の抜止め突起がインナーレールのガイド溝から抜け出した場合、巻取り軸を巻取り方向に回転させてスクリーンを巻き取ると、インナーレールのガイド溝から抜け出た抜け止め突起がインナーレールの内向きフランジに沿って引き上げられて、中間インナーレールの一対の内向きフランジの下端部に連設されたガイド片部の下端に当接する。その当接状態から抜止め突起がさらに引き上げられると、中間インナーレールが押し上げられ、その下端と下部インナーレールの上端間に隙間が形成されると、上記抜止め突起はその隙間からガイド片部に案内されて中間インナーレールのガイド溝内に進入して、摺動案内状態に戻される。
【００１０】
また、上記の課題を解決するために、第２の発明においては、巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、前記インナーレールの上部に一対の内向きフランジおよび前記ガイド溝の両側壁の一部を上下に分断する窓を形成し、その窓を前記抜止め突起が進入可能な大きさとした構成を採用したのである。
【００１１】
上記第２の発明に係るロールスクリーン装置において、スクリーンの閉鎖状態において、そのスクリーンへの外力の負荷によって一部の抜止め突起がインナーレールのガイド溝から抜け出した場合、巻取り軸を巻取り方向に回転させてスクリーンを巻き取ると、インナーレールのガイド溝から抜け出た抜け止め突起が窓からインナーレールのガイド溝内に進入して、摺動案内状態に戻される。
【００１２】
上記第２の発明に係るロールスクリーン装置において、窓の上部に位置する内向きフランジの下端部に斜め下方に向く傾斜状のガイド片部を設けておくと、抜止め突起はガイド片部に案内されてインナーレールのガイド溝内に戻されるため、抜止め突起をインナーレールのガイド溝内によりスムーズに戻すことができる。
【００１３】
上記の課題を解決するために、第３の発明においては、巻取り軸によって巻き取られるスクリーンを有し、そのスクリーンの両側縁部が挿入される挿入溝を有する対向一対のレール部材のそれぞれ内部にインナーレールを組込み、各インナーレールに前記スクリーンの両側縁に沿って設けられた抜止め突起が移動自在に挿入されるガイド溝を設け、そのガイド溝の開口端部に抜止め突起を抜止め状態において摺動案内する一対の内向きフランジを形成したロールスクリーン装置において、前記インナーレールを上部インナーレールと下部インナーレールとに２分割し、その上部インナーレールの下端と下部インナーレールの上端間に前記抜止め突起が進入可能な大きさの開口部を設けた構成を採用したのである。
【００１４】
上記第３の発明に係るロールスクリーン装置においても、スクリーンの閉鎖状態において、そのスクリーンへの外力の負荷によって一部の抜止め突起がインナーレールのガイド溝から抜け出した場合に、巻取り軸を巻取り方向に回転させることにより、インナーレールのガイド溝から抜け出た抜け止め突起を開口部からインナーレールのガイド溝内に戻すことができる。
【発明の効果】
【００１５】
上記のように、第１の発明乃至第３の発明のいずれの発明においても、インナーレールのガイド溝から抜止め突起が抜け出した場合に、巻取り軸を巻取り方向に回転させることによって、その抜け出した抜止め突起をインナーレールのガイド溝内に簡単に戻すことができる。
【図面の簡単な説明】
【００１６】
【図１】この発明に係るロールスクリーン装置の第１の実施の形態を示す正面図
【図２】図１の上部を拡大して示す一部切欠正面図
【図３】図２のIII−III線に沿った断面図
【図４】図３の一部を拡大して示す一部切欠側面図
【図５】図４のV-V線に沿った断面図
【図６】図５のVI-VI線に沿った断面図
【図７】レール部材の一部とインナーレールの一部分を示す分解斜視図
【図８】（I）は、抜止め突起が下部インナーレールのガイド溝から抜け出した状態を示す断面図、（II）は、抜止め突起を摺動案内状態に戻す作業の初期状態を示す断面図
【図９】抜止め突起を摺動案内状態に戻している状態を示す断面図
【図１０】この発明に係るロールスクリーン装置の第２の実施の形態を示す正面図
【図１１】図１０のXI−XI線に沿った断面図
【図１２】図１０に示すインナーレールの一部分を示す斜視図
【図１３】この発明に係るロールスクリーン装置の第３の実施の形態を示す正面図
【発明を実施するための形態】
【００１７】
以下、この発明の実施形態を図面に基づいて説明する。図１乃至図３は、この発明に係るロールスクリーン装置の第１の実施の形態を示す。図示のように、筒状のスクリーン収納ボックス１の内部には巻取り軸２が回転自在に組込まれている。巻取り軸２は筒状をなし、その内部には、モータ３および減速機４が組込まれ、上記モータ３によって巻取り軸２が正逆両方向に回転駆動されるようになっている。
【００１８】
巻取り軸２にはスクリーン５の一端部が連結され、そのスクリーン５は巻取り軸２の回転によって巻取り、巻き戻しされ、その巻き戻し状態で巻取り軸２から垂れ下がり、その下端には、スクリーン５に長さ方向に張力を付与するボトムバー６が連結されている。また、スクリーン５の両側縁部には、図５および図６に示すように、多数の抜止め突起７が設けられている。その抜止め突起７の取り付けに際し、ここでは、スライドファスナのファスナテープ８をスクリーン５の側縁部に重ね合わせて溶着し、そのファスナテープ８の側縁部に取り付けられたファスナエレメントを抜止め突起７としている。
【００１９】
図１に示すように、スクリーン収納ボックス１の下面両端部には、対向配置された一対のレール部材１０の上端部が連結されている。
【００２０】
図４乃至図６に示すように、レール部材１０には、その対向面において開口する挿入溝１１と、その挿入溝１１に連通するレール収納空間１２とが形成されている。挿入溝１１およびレール収納空間１２のそれぞれはレール部材１０の長さ方向に延び、上記レール収納空間１２内にインナーレール２０が組込まれている。
【００２１】
インナーレール２０はレール部材１０と同じ長さとされている。このインナーレール２０にはスクリーン５の両側縁に沿って設けられた抜止め突起７が移動自在に挿入されるガイド溝２１が形成され、そのガイド溝２１の開口端部に抜止め突起７を抜止め状態において摺動案内する一対の内向きフランジ２２が設けられている。
【００２２】
また、インナーレール２０には外側面に前後に張り出す膨出部２３が形成され、その膨出部２３とレール部材１０の内側壁間にスポンジ等の弾性体２４が組込まれている。弾性体２４は、インナーレール２０を外側方に向けて付勢してスクリーン５に幅方向のテンションを付与するようになっている。
【００２３】
図５および図７に示すように、インナーレール２０は、上部インナーレール２０ａ、中間インナーレール２０ｂおよび下部インナーレール２０ｃとに３分割されている。上部インナーレール２０ａおよび中間インナーレール２０ｂは、それぞれがレール部材１０の上端部に配置される長さとされている。
【００２４】
中間インナーレール２０ｂの膨出部２３の上端面には一対のガイドピン２５が突設され、そのガイドピン２５は上部インナーレール２０ａの膨出部２３の下面に形成されたピン孔２６内にスライド自在に挿入されており、中間インナーレール２０ｂは、上部インナーレール２０ａと下部インナーレール２０ｃの対向部間において移動自在とされている。
【００２５】
一対のガイドピン２５のそれぞれには弾性部材としてのスプリング２７が支持され、そのスプリング２７は中間インナーレール２０ｂを下部インナーレール２０ｃに向けて付勢している。
【００２６】
中間インナーレール２０ｂの一対の内向きフランジ２２の下端部には斜め下方に延びる傾斜状のガイド片部２８が形成され、そのガイド片部２８は下部インナーレール２０ｃの内向きフランジ２２の上端部に形成されたテーパ面２９上に重なり合い、その下端面は下部インナーレール２０ｃの内側面より内方に突出している。
【００２７】
第１の実施の形態で示すロールスクリーン装置は上記の構成からなり、そのロールスクリーン装置によって建屋の出入口等の開口部を開閉するシートシャッタとして用いる場合は、その開口部の上部にスクリーン収納ボックス１を固定し、かつ、左右一対のレール部材１０を開口部の両側に固定する。
【００２８】
上記のようなロールスクリーン装置の取付け状態において、モータ３の駆動により巻取り軸２を図３の矢印で示す方向に回転すると、巻取り軸２からスクリーン５が巻き戻され、ボトムバー６の重量により下方に引き出されて開口部を閉鎖する。
【００２９】
一方、モータ３の駆動により巻取り軸２を図３の矢印で示す反対の方向に回転すると、スクリーン５が巻取り軸２に巻き取られて開口部が開放する。
【００３０】
上記のようなスクリーン５の巻取り、あるいは、巻き戻し時、そのスクリーン５の両側縁部に固定された抜止め突起７はインナーレール２０のガイド溝２１に沿って移動する。
【００３１】
ここで、スクリーン５の閉鎖状態において、そのスクリーン５に外力が負荷されて撓み、そのスクリーン５に幅方向の引張り力が作用すると、両側縁部に沿って設けられた多数の抜止め突起７の一部がインナーレール２０のガイド溝２１から抜け出す場合がある。
【００３２】
図８（I）は、下部インナーレール２０ｃのガイド溝２１から抜止め突起７が抜け出した状態を示す。そのような状態が生じた場合には、モータ３の駆動により巻取り軸２を巻取り方向に回転させてスクリーン５を巻き取るようにする。
【００３３】
その巻き取りによってスクリーン５が引き上げられると、下部インナーレール２０ｃのガイド溝２１から外れ出た抜け止め突起７ａは下部インナーレールの内向きフランジ２２に沿って引き上げられて、中間インナーレール２０ｂの一対の内向きフランジの下端部に連設されたガイド片部２８の下端に当接する。
【００３４】
図８（II）は、外れ出た抜け止め突起７ａがガイド片部２８の下端に当接する少し手前の状態を示す。その抜止め突起７ａがガイド片部２８の下端に当接し、その当接状態から抜止め突起７ａがさらに引き上げられると、中間インナーレール２０ｂがスプリング２７の弾性に抗して押し上げられ、図９に示すように、その下端と下部インナーレール２０ｃの上端間に隙間３０が形成される。
【００３５】
その隙間３０の形成状態からスクリーン５がさらに引き上げられると、抜止め突起７はその隙間３０からガイド片部２８に案内されて中間インナーレール２０ｂのガイド溝２１内に進入して摺動案内状態に戻され、抜け出た全ての抜止め突起７が摺動案内状態に戻されると、スプリング２７の弾性によって中間インナーレール２０ｂは、そのガイド片部２８が下部インナーレール２０ｃのテーパ面２９に重なる状態に戻される。
【００３６】
上記のように、下部インナーレール２０ｃのガイド溝２１から抜止め突起７が抜け出した場合に、巻取り軸２を巻取り方向に回転させてスクリーン５を巻き取ることによって、その抜止め突起７がガイド片部２８の下端に当接して中間インナーレール２０ｂを押し上げ、その中間インナーレール２０ｂの下端と下部インナーレール２０ｃの上端間に隙間３０が形成されると、その隙間３０から中間インナーレール２０ｂのガイド溝２１内に抜止め突起７が進入するため、抜け出した抜止め突起７を摺動案内状態に簡単に戻すことができる。
【００３７】
第１の実施の形態においては、巻取り軸２の内部に、その巻取り軸２の回転駆動用のモータ３と減速機４を内蔵したものを示したが、上記モータ３および減速機４を巻取り軸２の外部に設けるようにしたものであってもよく、また、モータ３および減速機４を省略し、手動によって巻取り軸２を回転させるようにしたものであってもよい。
【００３８】
図１０乃至図１２は、この発明に係るロールスクリーン装置の第２の実施の形態を示す。この第２の実施の形態においては、レール部材１０の内部に組込まれたインナーレール２０の上部に、一対の内向きフランジ２２およびガイド溝２１の両側壁の一部を上下に分断する窓３１を形成し、その窓３１の上部に位置する内向きフランジ２２の下端部に斜め下方に向く傾斜状のガイド片部３２を設けた点で図１乃至図３に示す第１の実施の形態のロールスクリーン装置と相違する。このため、第１の実施の形態と同一の部品には同一の符号を付して説明を省略する。
【００３９】
上記の構成からなるロールスクリーン装置において、インナーレール２０のガイド溝２１の下端部から抜止め突起７が抜け出した場合に、巻取り軸２を巻取り方向に回転させてスクリーン５を巻き取ると、その抜止め突起７はガイド片部３２に案内されて窓３１からインナーレール２０のガイド溝２１内に進入することになり、抜け出した抜止め突起７を摺動案内状態に簡単に戻すことができる。
【００４０】
第２の実施の形態においては、窓３１の上部に位置する内向きフランジ２２の下端部に斜め下方に向く傾斜状のガイド片部３２を設けたが、上記ガイド片部３２を省略してもよい。
【００４１】
図１３は、この発明に係るロールスクリーン装置の第３の実施の形態を示す。この第３の実施の形態においては、インナーレール２０を上部インナーレール２０ｄと下部インナーレール２０ｅとに２分割し、その上部インナーレール２０ｄの下端と下部インナーレール２０ｅの上端間に抜止め突起７が進入可能な大きさの開口部３３を設け、上記上部インナーレール２０ｄの内向きフランジ２２の下端部に斜め下方に向く傾斜状のガイド片部３４を設けた点において図１乃至図３に示す第１の実施の形態のロールスクリーン装置と相違する。このため、第１の実施の形態と同一の部品には同一の符号を付して説明を省略する。
【００４２】
上記の構成からなるロールスクリーン装置において、インナーレール２０のガイド溝２１の下端部から抜止め突起７が抜け出した場合に、巻取り軸２を巻取り方向に回転させてスクリーン５を巻き取ると、その抜止め突起７はガイド片部３４に案内されて開口部３３から上部インナーレール２０ｄのガイド溝２１内に進入することになり、抜け出した抜止め突起７を摺動案内状態に簡単に戻すことができる。
【００４３】
なお、第３の実施の形態においては、上部インナーレール２０ｄと下部インナーレール２０ｅの対向部間にスペーサを組込み、あるいは、レール部材１０の内部に上部インナーレール２０ｄと下部インナーレール２０ｅを定位置に保持する手段を設けて、上部インナーレール２０ｄと下部インナーレール２０ｅの対向部に開口部３３を設けるようにする。
【符号の説明】
【００４４】
２      巻取り軸
５      スクリーン
７      抜止め突起
１０    レール部材
１１    挿入溝
２０    インナーレール
２０ａ  上部インナーレール
２０ｂ  中間インナーレール
２０ｃ  下部インナーレール
２０ｄ  上部インナーレール
２０ｅ  下部インナーレール
２１    ガイド溝
２２    内向きフランジ
２７    スプリング（弾性部材）
２８    ガイド片部
３１    窓
３２    ガイド片部
３３    開口部
【図１】
2010077796.tif 000003
【図２】
2010077796.tif 000004
【図３】
2010077796.tif 000005
【図４】
2010077796.tif 000006
【図５】
2010077796.tif 000007
【図６】
2010077796.tif 000008
【図７】
2010077796.tif 000009
【図８】
2010077796.tif 000010
【図９】
2010077796.tif 000011
【図１０】
2010077796.tif 000012
【図１１】
2010077796.tif 000013
【図１２】
2010077796.tif 000014
【図１３】
2010077796.tif 000015